(57)【要約】【課題】背裏皮部をスライドファスナで開閉可能に形成すると共に、下部側の端末処理も容易に行えるシートカバーにより車輌用表皮一体発泡成形シートを形成する。【解決手段】スライドファスナ１５ａ，１５ｂで開閉可能に接合する背裏皮部１３を備え、前面皮部１０の下側より後側に回し込む底面マチ部１４を設け、背裏左，右マチ部１２ｂ，１２ｃの下端末と底面マチ部１４の後端末と、並びに、背裏皮部１３の下端末と底面マチ部１４の後端末とを嵌合せファスナ１７ａ，１７ｂ、１８、１９で各々接合し、底部側を底面マチ部１４で封止するシートカバー１を備え付ける。【選択図】図１
2005262628.tif 000002
【特許請求の範囲】
【請求項１】
所定の輪郭形状を有する前面皮部と、前面皮部の上端末より左右の側端末に亘って縫着する周面マチ部と、周面マチ部の上端末より左右の側端末に亘って縫着する背裏マチ部と、背裏上マチ部の下端末と縫着し、且つ、背裏左，右マチ部の側端末とスライドファスナで開閉可能に接合する背裏皮部とからシートカバーを立体形に形成し、背裏皮部を除く各部と一体のパッドを発泡樹脂から型成形する車輌用表皮一体発泡成形シートにおいて、
前面皮部の下側より後側に回し込む底面マチ部を設け、背裏左，右マチ部の下端末と底面マチ部の後端末と、並びに、背裏皮部の下端末と底面マチ部の後端末とを嵌合せファスナで各々接合し、底部側を底面マチ部で封止するシートカバーを備え付けたことを特徴とする車輌用表皮一体発泡成形シート。
【請求項２】
底面マチ部の後端内側に取り付けられる平プレートと、背裏左，右マチ部、並びに、背裏皮部の各下端内側より外側に向けて取り付けられるＪプレートとを嵌合せファスナとして備え、底面マチ部の平プレートを中央寄りで背裏皮部のＪプレートに掛け止めると共に、底面マチ部の平プレートを左右寄りで背裏左，右マチ部のＪプレートを掛け止め、底部側を底面マチ部で封止するシートカバーを備え付けたことを特徴とする請求項１に記載の車輌用表皮一体発泡成形シート。
【発明の詳細な説明】
【技術分野】
【０００１】
本発明は、主に、自動車用シート用のシートバックとしてパッドを発泡樹脂からシートカバーと一体に型成形する車輌用表皮一体発泡成形シートに関するものである。
【背景技術】
【０００２】
従来、自動車用シートにおいては、パッドを発泡樹脂からシートカバーと一体に型成形する際、シートフレームを組み付ける空間をパッドの背部に形成するための中入子をシートカバーの内部に入れる必要から、背裏皮部をスライドファスナで開閉可能に備えるシートカバーを用いることが提案されている（特許文献１）。
【０００３】
そのシートカバーとしては、背裏皮部をスライドファスナで開閉可能に形成すると共に、下部側を開放した袋状のものが用いられている。このシートカバーでは中入子を容易に出し入れでき、また、シートフレームをパッドの内部に組み付けた後に背裏皮部をスライドファスナで閉鎖すればよいため、組付け性からも好ましい。然し、下部側が開放されたままであるため、最終的に、シートカバーの下部側を閉鎖するよう端末処理するに手間を要する。
【特許文献１】実公平５−４６８９４号
【発明の開示】
【発明が解決しようとする課題】
【０００４】
本発明の解決しようとする課題は、背裏皮部をスライドファスナで開閉可能に形成すると共に、下部側の端末処理も容易に行えるシートカバーにより車輌用表皮一体発泡成形シートを形成するところにある。
【課題を解決するための手段】
【０００５】
本発明の請求項１は、所定の輪郭形状を有する前面皮部と、前面皮部の上端末より左右の側端末に亘って縫着する周面マチ部と、周面マチ部の上端末より左右の側端末に亘って縫着する背裏マチ部と、背裏上マチ部の下端末と縫着し、且つ、背裏左，右マチ部の側端末とスライドファスナで開閉可能に接合する背裏皮部とからシートカバーを立体形に形成し、背裏皮部を除く各部と一体のパッドを発泡樹脂から型成形するもので、
前面皮部の下側より後側に回し込む底面マチ部を設け、背裏左，右マチ部の下端末と底面マチ部の後端末と、並びに、背裏皮部の下端末と底面マチ部の後端末とを嵌合せファスナで各々接合し、底部側を底面マチ部で封止するシートカバーを備え付けたことを特徴とする。
【０００６】
本発明の請求項２は、底面マチ部の後端内側に取り付けられる平プレートと、背裏左，右マチ部、並びに、背裏皮部の各下端内側より外側に向けて取り付けられるＪプレートとを嵌合せファスナとして備え、底面マチ部の平プレートを中央寄りで背裏皮部のＪプレートに掛け止めると共に、底面マチ部の平プレートを左右寄りで背裏左，右マチ部のＪプレートを掛け止め、底部側を底面マチ部で封止するシートカバーを備え付けたことを特徴とする。
【発明の効果】
【０００７】
本発明の請求項１に係る車輌用表皮一体発泡成形シートでは、シートフレームのサイドブラケットを周面マチ部の下端末より外方に突出させてシートフレームをパッドの背部に組み付け、背裏皮部をスライドファスナで閉鎖してから、底面マチ部をシート全体の下側から後側に回し込み、その底面マチ部の後端末を背裏皮部の下端末、並びに、背裏左，右マチ部の下端末と嵌合せファスナで接合することから、シートフレームの組付けを含み、シートカバーの下部側を簡単な作業で容易に封止するようにできる。
【０００８】
本発明の請求項２に係る車輌用表皮一体発泡成形シートでは、嵌合せファスナが外部に露出しないよう各端末相互を接合できるため、シート全体として見栄えの良好なものに組み立てられる。
【発明を実施するための最良の形態】
【０００９】
図１は、ファブリック，皮革等の表皮材から立体形に縫製されたシートカバー１を示す。このシートカバー１は、所定の輪郭形状を有する前面皮部１０と、前面皮部１０の上端末より左右の側端末に亘って縫着する周面マチ部１１と、周面マチ部１１の上端末より左右の側端末に亘って縫着する背裏マチ部１２と、背裏上マチ部１２ａの下端末と縫着する背裏皮部１３と、前面皮部１０の下側より後側に回し込む底面マチ部１４とから形成されている。
【００１０】
背裏皮部１３は、背裏左マチ部１２ｂ，背裏右マチ部１２ｃの側端末との間に取り付けることから、下端末より背裏上マチ部１２ａとの縫着側に向かって開き操作するスライドファスナ１５ａ，１５ｂで開閉可能に備え付けられている。この背裏皮部１３の両側縁または背裏左マチ部１２ｂ，背裏右マチ部１２ｃの片側縁のいずれかには、閉め状態のスライドファスナ１５ａ，１５ｂを覆う隠し縁１６ａ，１６ｂを形成するよう縫い付けられる。
【００１１】
背裏左マチ部１２ｂ，背裏右マチ部１２ｃ、背裏皮部１３、底面マチ部１４の各端末には、トリムコードでなる嵌合せファスナが縫い付けられている。その嵌合せファスナとしては、背裏左，右マチ部１２ａ，１２ｂ、並びに、背裏皮部１３の各下端内側より外側に向けて取り付けられるＪプレート１７ａ，１７ｂ、１８と、底面マチ部１４の後端内側に取り付けられる平プレート１９とが縫い付けられている。
【００１２】
そのシートカバー１によっては、図２並びに図３で示すような成形型２を用いることにより、背裏皮部１３を除く各部と一体のパッド３を発泡樹脂から型成形するようにできる。この成形型２は、パッド３の座面から周側面を付形する下型２０と、シートフレーム（図示せず）の組付け空間を付形する中入れ子２１と、下型２０の上側より型閉めする上型２２とを備えて構成されている。
【００１３】
図２中、型半分を中央位置より図示省略するが、この成形型は左右対称の型構造を有する。なお、シートカバー１として通気性を有するものを用いる場合、シートカバー１を下型側よりブロアー引きで型面内に位置決めセットする成形型を用いるようにできる。
【００１４】
下型２０は、図２で示すようにシート本体の左右背裏面を平面状に付形する第１のサイド割り型２３と、シート本体の左右側面を付形する第２のサイド割り型２４とを備えて構成されている。第１のサイド割り型２３は第２のサイド割り型２４とヒンジ２５ａで連結し、第２のサイド割り型２４は下型２０の型面両端寄りとヒンジ２５ｂで連結することにより型開き乃至は型閉め可能に備えられている。
【００１５】
第１のサイド割り型２３は、シートカバー１の背裏左，右マチ部１２ｂ，１２ｃ（図１参照）と平面状の型面２３ａで相対するよう形成されている。また、内端面２３ｂが上型２２の凸型面２２ａと相対する上り勾配の斜面で形成されている。
【００１６】
中入れ子２１としては、外側枠２１ａ，内側板２１ｂに分割可能なものが備え付けられている。外側枠２１ａは、サイド割り型２３の偏平な型面２３ａと相対する突起部２１ｃを有し、突起部２１ｃに至る内端面２１ｄが上型２２の凸型面２２ａと相対する上り勾配の斜面で形成されている。この外側枠２１ａの突起部２１ｃに至る内端面２１ｄを含み、第１のサイド割り型２３の内端面２３ｂ、上型２２の凸型面２２ａとからはスライドファスナ１５ａの取り付けられた背裏マチ部１２の端末を収容する空間２６が型内に形成されている。
【００１７】
図３で示すように、下型２０はシート本体の背裏上面と対応し、第３のサイド割り型２７を備えて構成されている。このサイド割り型２７は、下型２０の型面両端寄りとヒンジ２５ｃで連結することにより型開き乃至は型閉め可能に備えられている。そのサイド割り型２７もシートカバー１の背裏上マチ部１２ａと平面状の型面２７ａで相対するよう形成され、また、内端面２３ｂが上型２２の凸型面２２ａと相対する勾配の斜面で形成されている。
【００１８】
上型２２には、発泡樹脂の注入孔２２ｂが設けられている。中入れ子２１の外側枠２１ａには、サイド割り型２７の偏平な型面２７ａと相対する突起部２１ｃが左右より連続するよう設けられている。
【００１９】
外側枠２１ａの下部側には、底マチ部１４の見切り部を規制する押え板２１ｅが設けられている。押え板２１ｅの板面には、発泡樹脂の注入孔２２ｂと連通する樹脂受け用の切欠溝２１ｆが設けられている。外側枠２１ａの上部側には、ヘッドレストスティの軸受けを組み付ける貫通孔を形成するための立上り筒２１ｇが設けられている。
【００２０】
その他に、第３サイド割り型２７の型面２７ａと中入れ子２１の突起部２１ｃとの間から背裏面部１３を型外に引き出す空間２８ａと、下型２０の型面と中入れ子２１の押え板２１ｅとの間から底面マチ部１４を型外に引き出す空間２８ｂとが設けられている。また、下型２０の側部には位置決めピンを立上り筒２１ｇの筒内に嵌め合わすシリンダ２９が取り付けられている。
【００２１】
その成形型を用いては、まず、上型２２を型外しし、サイド割り型２３，２７をヒンジ２５ａ，２５ｃで外方に開いてから、背裏面部１３をスライドファスナ１５ａ，１５ｂの開き操作で巻き上げたシートカバー１を下型２０の型面内にセットする。このシートカバー１のセットにあたっては、中入れ子２１の外側枠２１ａをシートカバー１の内側に予め組み付けるようにできる。
【００２２】
中入れ子２１の内側板２１ｂを外側枠２１ａに組み付け、また、シリンダ２９の位置決めピンを立上り筒２１ｇの筒内に嵌め合わせた後、サイド割り型２３，２７を型閉めし、また、上型２２をサイド割り型２３，２７と型閉めすることから、上型２２の注入孔２２ｂより押え板２７ｅの切欠溝２７ｆを経てシートカバー１の内部に充填する発泡樹脂によりパッド３をシートカバー１と一体に発泡成形するようにできる。
【００２３】
その成形型２の構造上、スライドファスナ１５ａの取り付けられた背裏マチ部１２の端末を型内の空間２６で収容し、第３サイド割り型２７の型面２７ａと中入れ子２１の突起部２１ｃとの間から背裏面部１３を空間２８ａより型外に引き出し、下型２０の型面と中入れ子２１の押え板２１ｅとの間から底面マチ部１４を空間２８ｂより型外に引き出すようにする。
【００２４】
その成形型２では、背裏マチ部１２の周回り端末をサイド割り型２３，２７の型平面２３ａ，２７ａと中入れ子２１の突起部２１ｃとにより見切り部とし、また、前面皮部１０と底面マチ部１４との境目を下型２０の型面と中入れ子２１の押え板２１ｅとにより見切り部として付形するようにできる。この際に、３〜４ｍｍの発泡スラブを表皮材に積層したシートカバーを用いる場合、２．５〜３ｍｍ程度のクリアランスをサイド割り型２３，２７の型平面２３ａ，２７ａと中入れ子２１の突起部２１ｃとの間、下型２０の型面と中入れ子２１の押え板２１ｅとの間に保つとよい。
【００２５】
その成形型２によっては、背裏マチ部１２の周回り端末をサイド割り型２３，２７の型平面２３ａ，２７ａと中入れ子２１の突起部２１ｃとで、また、前面皮部１０と底面マチ部１４との境目を下型２０の型面と中入れ子２１の押え板２１ｅで平面状態に挟み込める。これにより、パッド３を形成する発泡樹脂がシート表皮の見切り部となる背裏面部１３並びに底面マチ部１４に含浸するのを防げ、感触等の風合いの良好なシートを形成できる。
【００２６】
そのパッド２の発泡成形後は、上型２２を下型２０より上昇動し、第１のサイド割り型２３を第２のサイド割り型２４よりヒンジ２５ａで型開きし、また、第２のサイド割り型２４を下型２０よりヒンジ２５ｂで型開きすると共に、第３のサイド割り型２７を下型２０よりヒンジ２５ｃで型開きすれば、パッド３を一体に発泡成形したシートカバー１を成形品として下型２０の型内より容易に型外しできる。
【００２７】
その成形品としては、図４で示しようにシートフレームのサイドブラケット４ａ，４ｂを背裏左，右マチ部１２ｂ，１２ｃの下端末より外方に突出させてシートフレームをパッドの背部に組み付けると共に、背裏皮部１３をスライドファスナ１５ａ，１５ｂで閉鎖する。
【００２８】
その後に、底面マチ部１４をシート全体の下側から後側に回し込み、底面マチ部１４の平プレート１９を中央寄りで背裏皮部１３のＪプレート１８に掛け止めると共に、底面マチ部１４の平プレート１９を左右寄りで背裏左，右マチ部１２ｂ，１２ｃのＪプレート１７ａ，１７ｂを掛け止めることから、底部側を底面マチ部１４で封止すればよい。
【００２９】
これにより、シートフレームをパッド３の内部に簡単に組み付けられ、また、シートカバーの下部側を簡単な作業で容易に封止できる。それに加えて、嵌合せファスナ１７ａ，１７ｂ、１８、１９が外部に露出しないよう組み合わせられると共に、スライドファスナ１５ａ，１５ｂの隠し縁１６ａ，１６ｂで覆うようにできるため、シート全体として見栄えの良好なものに組み立てられる。
【図面の簡単な説明】
【００３０】
【図１】本発明に係る車輌用表皮一体発泡成形シートのシートカバーを示す斜視図である。
【図２】図１のシートカバーと一体のバッドを発泡成形する成形型をシートカバーの横断面側から示す説明図である。
【図３】図１のシートカバーと一体のバッドを発泡成形する成形型をシートカバーの縦断面側から示す説明図である。
【図４】図１のシートカバーによる完成体を背面側から示す斜視図である。
【符号の説明】
【００３１】
１            シートカバー
１０          前面皮部
１１          周面マチ部
１２          背裏マチ部
１２ａ        背裏上マチ部
１２ｂ        背裏左マチ部
１２ｃ        背裏右マチ部
１３          背裏皮部
１４          底面マチ部
１５ａ，１５ｂ    スライドファスナ
１７ａ，１７ｂ    嵌合せ（Ｊ）ファスナ
１８          嵌合せ（Ｊ）ファスナ
１９          嵌合せ（平）ファスナ
２            成形型
３            パッド
【図１】
2005262628.tif 000003
【図２】
2005262628.tif 000004
【図３】
2005262628.tif 000005
【図４】
2005262628.tif 000006